(57)【特許請求の範囲】
【請求項１】
レンズ鏡筒に取付けた際に前記レンズ鏡筒において最も物体側に配置されるレンズに対向する平板状の平板部と、
前記平板部に対して前記レンズ鏡筒側とは反対側に設けられる正面部を有し、
前記平板部には、前記レンズの中心部に対向する位置に前記レンズから離れる方向にくぼむように形成されたくぼみ部が球面状に形成されていることを特徴とするレンズキャップ。
【請求項２】
前記平板部と前記正面部との間に隙間が設けられ、
前記隙間には、前記レンズ鏡筒への取付け及び取外しの操作に用いる操作部が摺動可能に嵌装されていることを特徴とする請求項１に記載のレンズキャップ。
【請求項３】
請求項１又は２に記載のレンズキャップを着脱可能なレンズ鏡筒。
【請求項４】
請求項１又は２に記載のレンズキャップが取り付けられたレンズ鏡筒。
【発明の詳細な説明】
【技術分野】
【０００１】
本発明は、たとえばスチルカメラ、ビデオカメラ等に用いるレンズのレンズ鏡筒前端部内周の係合部に着脱自在に装着されるレンズキャップに関する。
【背景技術】
【０００２】
従来、カメラの非撮影時にレンズを保護する為にレンズ鏡筒前端部内周の係合部に装着するレンズキャップとして、以下のようなものがある。つまり、円形状のキャップ本体に一対の操作部が設けられており、当該操作部は、レンズ鏡筒前端部内周の係合部に係合するとともに、使用者の操作により、キャップ本体の中心へ向けて摺動して係合を解除するものである（例えば、特許文献１参照）。
【先行技術文献】
【特許文献】
【０００３】
【特許文献１】登録実用新案第３００７６６８号
【発明の概要】
【発明が解決しようとする課題】
【０００４】
しかしながら、従来のレンズキャップを薄型化した場合、レンズ鏡筒前端部に取付けた状態においてレンズキャップの表面からレンズ側へ向かう外力が加わると、レンズ鏡筒前端部やレンズキャップ自体が変形することにより、レンズキャップのレンズ側の面が最も物体側のレンズ面に接触し、レンズ表面に傷をつける等、レンズに悪影響を及ぼすことがある。本発明は、レンズキャップとレンズとの接触が生じ難いレンズキャップ及びレンズ鏡筒を提供することを目的とする。
【課題を解決するための手段】
【０００５】
上記の課題を解決するために本発明では、レンズ鏡筒に取付けた際に前記レンズ鏡筒において最も物体側に配置されるレンズに対向する平板状の平板部と、前記平板部に対して前記レンズ鏡筒側とは反対側に設けられる正面部を有し、前記平板部には、前記レンズの中心部に対向する位置に前記レンズから離れる方向にくぼむように形成されたくぼみ部が球面状に形成されていることを特徴とするレンズキャップを提供する。
【０００６】
好適には、前記平板部と前記正面部との間に隙間が設けられ、
前記隙間には、前記レンズ鏡筒への取付け及び取外しの操作に用いる操作部が摺動可能に嵌装されている。
【０００７】
また、上記の課題を解決するために本発明では、これらいずれかのレンズキャップを着脱可能なレンズ鏡筒を提供する。
また、上記の課題を解決するために本発明では、これらいずれかのレンズキャップが取り付けられたレンズ鏡筒を提供する。
【発明の効果】
【０００８】
本発明によれば、レンズキャップとレンズとの接触が生じ難いレンズキャップ及びレンズ鏡筒を提供することができる。
【図面の簡単な説明】
【０００９】
【図１】レンズ鏡筒前端部（不図示）に取り付けた本発明の実施形態に係るレンズキャップをレンズ鏡筒側から見た斜視図である。
【図２】操作部を取り外した状態のレンズキャップ本体の下面図である。
【図３】（ａ）は、レンズキャップ本体の図２に示すＡ−Ａ断面図である。操作部の輪郭を破線で示している。（ｂ）は、（ａ）に示すＢ−Ｂ断面のうち、棒状案内部と案内溝とを拡大して示した断面図である。
【図４】衝撃吸収部材を備えたレンズ鏡筒前端部に本発明の実施形態に係るレンズキャップを取り付けた状態のＹＺ平面に沿った断面図である。（ａ）は、衝撃吸収部材が衝撃を吸収する前の状態を示している。（ｂ）は、衝撃吸収部材が衝撃を吸収した後の状態を示している。
【発明を実施するための形態】
【００１０】
以下、本発明の実施形態について図１乃至図４を参照しつつ説明する。なお、説明において、レンズキャップをレンズ鏡筒前端部に取り付けた際にレンズ鏡筒において最も物体側に配置されるレンズ面に対向する側を「レンズ側」、その反対側を「正面側」と定義する。また、図１に示すように、図１のレンズキャップの左手前から右奥への方向をＸ軸方向、上下の方向をＹ軸方向、右手前から左奥への方向をＺ軸方向と定義する。
【００１１】
図１は本発明の実施形態に係るレンズキャップ１をレンズ鏡筒前端部（不図示）に取り付けた状態をレンズ側から見た斜視図である。本実施形態に係るレンズキャップ１は、キャップ本体２と、Ｙ軸方向で径方向に対向して配置されている第１操作部３及び第２操作部４と、後述するコイルばね２２、２３から構成されている。キャップ本体２、第１操作部３、及び、第２操作部４は合成樹脂で形成されている。図１においてレンズキャップ１の外周は略円形をしているが、レンズキャップ１をレンズ鏡筒前端部から取り外すと、後述する機構により操作部３、４がＹ軸方向外方へわずかに突出した状態で止まるように構成されている。
【００１２】
図１に示すように、キャップ本体２は、略円盤状であり、正面部７と正面部７のレンズ側にＺ方向に間隔を設けて配置された長方形平板部８とで構成されている。長方形平板部８はＹ軸方向の長辺を有する長方形状をしている。この長方形平板部８のレンズ側の面は、レンズキャップ１をレンズ前端部に取り付けた際に、最も物体側のレンズ面に対面する。また、正面部７のレンズ側には、長方形平板部８の２つの長辺に沿ってレンズ側に凸形状の本体側案内部９ａ、９ｂが形成されている。この本体側案内部９ａ、９ｂは、キャップ本体２の剛性を確保すると共に、第１操作部３、第２操作部４を操作する際のガイドとしての機能を持っている。
【００１３】
図２は、第２操作部４を取り外した状態のキャップ本体２の下面図であり、図３（ａ）は、図２に示すＡ−Ａ断面図である。図３（ａ）において、操作部３、４の取り付け位置を破線で示している。図３（ａ）に示すように、キャップ本体２は、操作部３、４をそれぞれ取り付ける第１取付部５及び第２取付部６を有している。取付部５、６は、それぞれ、正面部７のレンズ側の面、長方形平板部８の物体側の面、本体側案内部９ａ、９ｂから構成されている。また、正面部７の第１取付部５及び第２取付部６部分には、外周面が径方向内側に略Ｕ字状に凹んだ凹部１１ａ、１１ｂが形成されている。
【００１４】
正面部７において、凹部１１ａ、１１ｂを除く外周部は、レンズキャップ１と中心を共にする円弧状の本体側円弧部１２、１２を形成している。
【００１５】
図１に示すように、本体側円弧部１２のレンズ側には、レンズ鏡筒前端部にレンズキャップ１を取り付けた際に、レンズ鏡筒前端部の前面に当接する本体側当接部１３がレンズ側へ突出して形成されている。
【００１６】
本体側当接部１３の内径側には、隙間をはさんで、本体側当接部１３よりもさらにレンズ側へ突出し、本体側当接部１３とレンズ鏡筒前端部の間の隙間を塞ぐ目張り部１４が形成されている。
【００１７】
本体側当接部１３と目張り部１４とは複数の連結部１５によって連結されている。連結部１５のレンズ側の面は、目張り部１４側が本体側当接部１３側に比べてレンズ側に出っ張って形成されており、径方向内側から外側へ傾斜している。
【００１８】
図３（ａ）に示すように、正面部７のレンズ側には、径方向に対向する目張り部１４、１４の間をＸ軸方向に貫通した補強梁２１が形成されている。キャップ本体２をＺ軸方向にたわませるＹ軸方向の曲げモーメントに対しては、主に、本体側案内部９ａ、９ｂ、本体側当接部１３、目張り部１４が対抗して変形を抑制する。しかし、これらはキャップ本体２をＺ軸方向にたわませるＸ軸方向の曲げモーメントに対しては殆ど対抗することはできない。そこで、Ｘ軸方向における曲げモーメントに対しては、補強梁２１が対抗してレンズキャップ１の変形を抑制し、レンズキャップ１がレンズ面に接触し難い構成としている。
【００１９】
図１に示すように、第１操作部３及び第２操作部４は、レンズキャップ１をレンズ鏡筒前端部に取り付けた際に本体側円弧部１２、１２と共にレンズキャップ１の円形の外周面を形成する操作側当接部１７ａ、１７ｂを有している。
【００２０】
操作側当接部１７ａ、１７ｂのレンズ側の面は、本体側当接部１３と同一平面上の平面を形成しており、その平面は、レンズキャップ１をレンズ鏡筒前端部に取り付けた際に、レンズ鏡筒前端部の前面に当接する。
【００２１】
操作側当接部１７ａ、１７ｂの内径側には、レンズ側へ突出したねじ部１９ａ、１９ｂが形成されている。ねじ部１９ａ、１９ｂは、レンズキャップ１の外周と中心を共にする円弧状の部分と、その両端部からＹ軸方向内側へ延在している部分とから成る。円弧状の部分は、目張り部１４よりも円弧の半径が大きく、径方向外方に位置しており、円弧状部分の外周側の面には、レンズ鏡筒前端部に形成された雌ねじと嵌合するねじ溝が形成されている。第１操作部３のねじ部１９ａと第２操作部４のねじ部１９ｂとはＺ軸方向において同じ位置に配置されているため、ねじ溝は、レンズ鏡筒前端部の雌ねじに合うように、ねじ部１９ａとねじ部１９ｂとでＺ軸方向に半ピッチずらした形状としている。ねじ部１９ａ、１９ｂのレンズ側の面は、目張り部１４のレンズ側面と同一平面上の平面を形成している。円弧状の両端部からＹ軸方向内側へ延在している部分は、ねじ部１９ａ、１９ｂの円弧状部分と目張り部１４との間の隙間を塞ぐものである。
【００２２】
操作部３、４において、取付部５、６に摺接する面は、Ｙ軸と平行な平面をしている。また、取付部５、６を形成している正面部７及び長方形平板部８、並びに、本体側案内部９ａ、９ｂの部分も、操作部３、４に摺接する面はＹ軸と平行な平面をしている。本体側案内部９ａ、９ｂは、それぞれ操作部３、４のＸ軸方向外側の端面と対向する摺接面と、該摺接面のレンズ側から目張り部１４と連続して操作部３、４の端部を包み込むようにＹ軸側へ張り出したレンズ側摺接面とから成る。これにより、第１操作部３及び第２操作部４は、使用者によって操作される際、Ｙ軸方向にスムーズに摺動することができる。
【００２３】
図４（ａ）、（ｂ）に示すように、操作部３、４は、Ｚ軸方向で正面側へ突出したつまみ部１０ａ、１０ｂをそれぞれ備えている。つまみ部１０ａ、１０ｂは、レンズキャップ１をレンズ鏡筒前端部へ装着し、又は、レンズ鏡筒前端部からレンズキャップ１を取り外す操作において使用者が指先でつまむ部分である。つまみ部１０ａ、１０ｂは、操作部３、４の摺動に伴って径方向に移動するが、上述した凹部１１ａ、１１ｂによって正面部７と干渉することはない。
【００２４】
正面部７と長方形平板部８の間には、第１操作部３を径方向外方へ付勢する第１コイルばね２２、及び、第２操作部４を径方向外方へ付勢する第２コイルばね２３が設けられている。レンズキャップ１をレンズ鏡筒前端部に取り付ける際、使用者がつまみ部１０ａ、１０ｂを径方向内方へ押し込むと第１コイルばね２２及び第２コイルばね２３が縮み、操作部３、４が内径側へ摺動し、レンズキャップ１をレンズ鏡筒前端部に嵌め込んだ状態で使用者がつまみ部１０ａ、１０ｂを放すと、第１コイルばね２２及び第２コイルばね２３が第１操作部３及び第２操作部４をそれぞれ径方向外方へ付勢し、ねじ部１９ａ、１９ｂがレンズ鏡筒前端部の雌ねじと嵌合することによりレンズキャップ１はレンズ鏡筒前端部に固定される。
【００２５】
レンズキャップ１をレンズ鏡筒前端部から取り外す際は、使用者がつまみ部１０ａ、１０ｂを径方向内方へ押し込むことにより、第１コイルばね２２及び第２コイルばね２３が縮み、第１操作部３及び第２操作部４が径方向内方へ摺動し、ねじ部１９とレンズ鏡筒前端部の雌ねじとの嵌合が解除されることにより取り外しが可能となる。
【００２６】
第１コイルばね２２及び第２コイルばね２３は、正面部７と長方形平板部８の間に補強梁２１を挟んで形成されたばね用穴部２４ａ、２４ｂ内に設置されている。コイルばね２２、２３の一部は、操作部３、４の操作時におけるストロークの長さ分だけばね用穴部２４ａ、２４ｂからはみ出しているが、後述のように長方形平板部８がＹ軸方向に長く延在しているため、これによって目隠しがなされている。
【００２７】
また、コイルばね２２、２３の内部には、それぞれ操作部３、４の内径側端部からＹ軸に沿って突出した案内軸（不図示）が挿入されている。これにより、コイルばね２２、２３は座屈や倒れを生じることなく、Ｙ軸に沿って伸縮する。また、このようにばね用穴部２４ａ、２４ｂをキャップ本体２に設け、案内軸を操作部３、４に設けることで、構造が単純化するため、レンズキャップ１を薄くすることが出来る。
【００２８】
コイルばね２２、２３を挟んでＸ軸方向の両側には、長方形平板部８を支持する平板支持部２５ａ、２５ｂが形成されている。長方形平板部８は操作部３、４をＹ軸方向に誘導するため、各操作部３、４の中心部付近まで延在している。そのため、平板支持部２５ａ、２５ｂもＹ軸方向で長方形平板部８の端部付近まで延在している。これに伴い、操作部３、４の径方向内端側には、平板支持部２５ａ、２５ｂとの干渉を避けるための切欠き部２６ａ、２６ｂが形成されている。
【００２９】
第２取付部６をＹ軸方向から見た状態を図２に示している。正面部７と長方形平板部８の間にばね用穴部２４ｂ及び平板支持部２５ｂが配置されており、長方形平板部８の両端部は第２案内溝３０を構成する部分に支持されている。なお、図２に示すように正面部７の正面側の面７ａはわずかにレンズ側へ凹んだ形状をしている。
【００３０】
図３に示すように、第１操作部３及び第２操作部４は、それぞれ第１棒状案内部２７及び第２棒状案内部２８を有している。棒状案内部２７、２８は、操作部３、４にそれぞれ２本ずつ備えられている。第１操作部３と第２操作部４のそれぞれにおいて、棒状案内部２７、２８は、Ｙ軸から等距離に配置されている。
【００３１】
一方、第１棒状案内部２７と第２棒状案内部２８とではＹ軸からの距離は異なっている。上述のように、第１操作部３のねじ部１９ａのねじ溝と、第２操作部４のねじ部１９ｂのねじ溝とは、半ピッチずらして形成しているため、組立ての際、第１操作部３を構成する部品を第２取付部６に誤って取り付けたり、第２操作部４を構成する部品を第１取付部５に誤って取り付けたりすることは好ましくない。そこで、上記のように棒状案内部２７、２８のＹ軸からの距離を異ならせることで、操作部３、４を構成する部材を誤った取付部５、６には取り付けることができないようにしている。
【００３２】
キャップ本体２には、第１棒状案内部２７及び第２棒状案内部２８に対応した位置に、これらを受け入れる第１案内溝２９及び第２案内溝３０がそれぞれ形成されている。このように、棒状案内部２７、２８を操作部３、４に設け、案内溝２９、３０をキャップ本体に設けることで、構造を単純化することができ、レンズキャップ１を薄くすることができる。
【００３３】
図３（ｂ）は、第２棒状案内部２８と第２案内溝３０のＢ−Ｂ断面を示しているが、第１棒状案内部２７と第１案内溝２９も同様の構成をしている。図３（ｂ）においては向かって左側がレンズ側、向かって右側が正面側である。第２棒状案内部２８の先端部には、先端から根元側へ行くに連れて正面側への突出を漸次大きくし、その根元側にＸＺ平面と平行な当接面３１ｃを備えた係止用突起部３１を形成している。また、キャップ本体２には、棒状案内部２７、２８のそれぞれの正面側で、Ｙ軸方向において係止用突起部３１より外側に、係止用当接部３２ａ、３２ｂが形成してある。係止用当接部３２ａ、３２ｂは、Ｙ軸方向内側の面がＸＺ平面と平行な当接面３２ｃであり、レンズ側の面がＸＹ平面と平行な面であり、Ｙ軸方向の外側の面がＹ軸方向の内側から外側へ行くに連れて漸次突出を小さくした傾斜面から成る。
【００３４】
レンズキャップ１がレンズ鏡筒前端部に装着されておらず、使用者によっても操作されていない状態においては、操作部３、４は、コイルばね２２、２３によってＹ軸方向外方に付勢され、係止用突起部３１の当接面３１ｃが係止用当接部３２ａ、３２ｂの当接面３２ｃに当接したところで係止した状態を保つ。
【００３５】
第１操作部３の第１棒状案内部２７のＹ軸側には、Ｘ軸へ向かって突き出た第１凸部１８がＹ軸から等距離に２箇所形成されており、第２操作部４の第２棒状案内部２８のＹ軸側とは反対側には、Ｘ軸へ向かって突き出た第２凸部２０がＹ軸から等距離に２箇所形成されている。キャップ本体２には、凸部１８、２０のＸ軸側に、凸部１８、２０に対向して、コの字型当接部３５ａ、３５ｂがそれぞれ形成されている。使用者が操作することにより操作部３、４が径方向内方に摺動した際、凸部１８、２０がコの字型当接部３５ａ、３５ｂにそれぞれ当接することでストロークエンドとなる。この際、操作部３、４の上記案内軸（不図示）の根元付近の部分もねじ用穴部２４ａ、２４ｂを構成するキャップ本体２の部分に当接する。
【００３６】
レンズキャップ１の組立ては以下のように行う。第２操作部４の案内軸にコイルばね２３をセットし、第２操作部４を第２取付部６内に所定の向きで挿入すると、係止用突起部３１の先端が係止用当接部３２ｂの傾斜面に接触する。そこから更に第２操作部４を押し込むと、係止用突起部３１と係止用当接部３２ｂの傾斜面によって、第２棒状案内部２８の先端をレンズ側へ押す力が働く。これにより、第２棒状案内部２８はレンズ側へ弾性変形し、係止用突起部３１が係止用当接部３２ｂを避けるようにＸ軸側へ向かって移動し、係止用突起部３１が係止用当接部３２ｂを完全に通り越すと、第２棒状案内部２８が元の形状に戻る。第２操作部４を押し込む力を解除すると、コイルばね２３により第２操作部４がＹ軸方向外方に付勢され、係止用突起部３１が係止用当接部３２ｂに当接し、係止される。これと同様のことを第１操作部３に対しても行うことで、レンズキャップ１の組立ては完了する。
【００３７】
長方形平板部８は、レンズキャップ１の中心部に正面側へ向けて球面状に窪ませた球面状くぼみ部３３を形成している。これにより、レンズキャップ１やレンズ鏡筒前端部にレンズ側へ向かう外力が加わり、レンズキャップ１のレンズ側の面が、最も物体側に位置するレンズに近づいてもレンズに接触しにくい構成としている。
【００３８】
特に径の大きく薄いレンズキャップ１は変形し易いことから、レンズとの接触が生じ易い。これを解消するためには、レンズキャップ１の厚みを厚くして剛性を高めたり、レンズキャップ１のレンズ側面全体がレンズから離れて位置するようにレンズキャップ１の周辺部をレンズ鏡筒前端部に向けて大きく突出した構成としたりすることも可能である。しかし、レンズキャップ１のデザイン性や携帯性の観点、及び、レンズキャップ１を装着したレンズやカメラ等のデザイン性や携帯性の観点等からレンズキャップ１の薄型化が要請されており、これらの構成はこの要請に反することとなる。本実施形態によれば、レンズキャップ１の薄型化の要請に反することなく、レンズキャップ１とレンズとの接触を防ぐことが可能となる。
【００３９】
また、図４に示すように、レンズ鏡筒前端部に衝撃吸収部材３４が設けられたレンズがある。このようなレンズの場合、特に、レンズキャップ１やレンズ鏡筒前端部にレンズ側へ向かう外力が加わった場合に、衝撃吸収部材３４が、Ｚ軸に沿ってレンズ鏡筒側へ摺動することによって衝撃を吸収するため、レンズキャップ１のレンズ側面が最も物体側に位置するレンズに近づき接触し易い。本実施形態に係る発明によれば、このようなレンズに用いる場合においても、レンズキャップ１とレンズとの接触を防止することができる。
【００４０】
以上のように、本実施形態においては、本発明の理解を容易にするために具体的な構成を述べたが、本発明においては上記構成に限らず種々変更が可能である。
【００４１】
例えば、本実施形態において、長方形平板部８は、ばね用穴部２４ａ、２４ｂや平板支持部２５ａ、２５ｂ、案内溝２９、３０を構成する部分を除いては、正面部７との間に隙間を設けて配置されているが、本発明においてはこれに限られず、操作部３，４の取付部５、６やばね用穴部２４ａ、２４ｂなどの必要な隙間を除いては正面部７とより一体的に構成してあっても良い。
【００４２】
さらに、本実施形態において、長方形平板部８は長方形の平板形状としているが、本発明において形状はこれに限られず、楕円形の平板形状等としても良い。
【００４３】
さらに、本実施形態において、操作部３、４は、Ｚ軸方向で正面側へ突出しているつまみ部１０ａ、１０ｂをそれぞれ備えているが、本発明においては、つまみ部１０ａ、１０ｂを備えていなくてもよい。つまみ部１０ａ、１０ｂがなくとも、使用者は操作側当接部１７ａ、１７ｂ付近の外周部をつまむことでレンズキャップ１を操作することができる。ただし、レンズ鏡筒前端部にフード等をかぶせた状態においては、操作側当接部１７ａ、１７ｂの外周部はつまみ難いため、つまみ部１０ａ、１０ｂを備えていることが好ましい。
【００４４】
さらに、本実施形態において、正面部７は、操作部３、４とつまみ部１０ａ、１０ｂが干渉しない程度に外周面が径方向内側へくびれた凹部１１ａ、１１ｂを形成しているが、上記のようにつまみ部１０ａ、１０ｂを備えない場合には凹部１１ａ、１１ｂを形成している必要はない。
【００４５】
さらに、本実施形態において、ねじ部１９ａ、１９ｂはＺ軸方向の位置を同じに配置されているため、ねじ溝はＺ軸方向に半ピッチずらした形状としているが、本発明においてはこれに限られず、例えば、操作部３、４の配置をＺ軸方向にねじ部１９ａ、１９ｂのねじの半ピッチ分ずらすことで、ねじ部１９ａ、１９ｂのねじ溝の形状は同じままで、レンズ鏡筒前端部に形成される雌ねじのねじ溝と合わせることができる。
【００４６】
さらに、本実施形態においては、径方向に対向する目張り部１４、１４の間をＸ軸方向に貫通した補強梁２１が形成されているが、本発明においてはこれに限られず、キャップ本体２を形成する材料の強度や補強梁２１以外の部分の構成によっては、補強梁２１を設けないことも可能であり、また、Ｘ軸方向において最も曲げモーメントの影響を受け易いＹ軸付近にのみ補強梁２１を設けることも可能である。
【００４７】
さらに、本実施形態においては、コイルばね２２、２３がばね用穴部２４ａ、２４ｂ内に配置され、コイルばね２２、２３の内部には操作部３、４から延びる案内軸が配置されているが、本発明においてはこれに限られず、操作部３，４のＸ軸側端部をＸ軸付近まで延在させて、ばね用穴２４ａ、２４ｂを操作部３、４に設け、案内軸をキャップ本体２に設けることも可能である。この場合、コイルばね２２、２３が操作部３、４のストロークの長さ分ばね用穴部２４ａ、２４ｂからはみ出た部分は、本実施形態よりもＸ軸側に位置するため、長方形平板部８のＹ軸方向の長さを短くすることができる。ただし、本実施形態においては、キャップ本体２と操作部３、４は、キャップ本体２が雌側、操作部３、４が雄側となっているため、雌側のキャップ本体２に雄側の案内軸が設けられ、雄側の操作部３、４に雌側のばね用穴部２４ａ、２４ｂが形成されることになり、入り組んだ構成となるため、レンズキャップ１の全体の厚さが厚くなる。
【００４８】
さらに、本実施形態において、棒状案内部２７、２８は、操作部３、４のそれぞれにおいては、Ｙ軸から等距離に２本配置されているが、等距離でなくてもよい。
【００４９】
さらに、本実施形態において、第１棒状案内部２７と第２棒状案内部２８とでは、Ｙ軸からの距離を異ならせているが、Ｙ軸からの距離を同じとしても良い。その場合、操作部３、４を構成する部品を、ねじ部１９ａ、１９ｂのねじ溝の形状も半ピッチずらさずに、形状の全く同じものとしておいて、第１取付部５及び第２取付部６をねじ部１９ａ、１９ｂのねじ溝の半ピッチ分Ｚ軸方向にずらして配置することも可能である。このようにすれば、操作部３、４を構成する部品の種類は１種類となるため、製造コストを抑えられ、第１操作部３を構成する部品と第２操作部４を構成する部品との入れ違いも生じない。また、取付部５、６が半ピッチ分ずれていることで、ねじ部１９ａ、１９ｂのねじ溝はレンズ鏡筒前端部のねじ溝と合致する。これらの場合、案内溝２９、案内溝３０もそれに合わせて配置される。
【００５０】
さらに、本実施形態において、棒状案内部２７、２８は、操作部３、４を構成する部品に一体に形成され、それを受け入れる案内溝２９、３０がキャップ本体２に形成されているが、逆に、棒状案内部２７、２８をキャップ本体２に形成し、それを受け入れる案内溝２９、３０を操作部３、４に形成することもできる。しかし、この場合、構造が複雑化するため、レンズキャップ１の厚さが厚くなる。
【００５１】
さらに、本実施形態において、球面状くぼみ部３３は球面状をしているが、本発明において、形状はこれに限られるものではない。例えば、円筒形状や四角柱状の窪みであっても良く、円錐状の側面と底面からなる窪みであってもよい。また、レンズ鏡筒において最も物体側に配置されるレンズのレンズ面に合わせて非球面などとしても良い。ただし、長方形平板部８の強度や汎用性を考慮すると、球面状であることが効率的であり、好ましい。
【００５２】
なお、上記の他、合成樹脂の射出成形時の成形不良を回避することを考慮した形状とすることも可能である。例えば、本実施形態において、操作部３、４を構成する部品においては、正面側につまみ部１０ａ、１０ｂが形成されているため、レンズ側にヒケが生じ易い。そこで、つまみ部１０ａ、１０ｂのレンズ側の面に肉盗みを設けることができる。
【００５３】
以上のように、本願発明によれば、レンズキャップとレンズとの接触が生じ難いレンズキャップ及びレンズ鏡筒を提供することができる。
【符号の説明】
【００５４】
１  レンズキャップ
２  キャップ本体
３  第１操作部
４  第２操作部
５  第１取付部
６  第２取付部
７  正面部
７ａ  正面側の面
８  長方形平板部
９ａ  本体側案内部（第１操作部側）
９ｂ  本体側案内部（第２操作部側）
１０ａ  つまみ部（第１操作部）
１０ｂ  つまみ部（第２操作部）
１１ａ  凹部（第１操作部側）
１１ｂ  凹部（第２操作部側）
１２  本体側円弧部
１３  本体側当接部
１４  目張り部
１５  連結部
１７ａ  操作側当接部（第１操作部）
１７ｂ  操作側当接部（第２操作部）
１８  第１凸部
１９ａ  ねじ部（第１操作部）
１９ｂ  ねじ部（第２操作部）
２０  第２凸部
２１  補強梁
２２  第１コイルばね
２３  第２コイルばね
２４ａ  ばね用穴部（第１操作部側）
２４ｂ  ばね用穴部（第２操作部側）
２５ａ  平板支持部（第１操作部側）
２５ｂ  平板支持部（第２操作部側）
２６ａ  切欠き部（第１操作部）
２６ｂ  切欠き部（第２操作部）
２７  第１棒状案内部
２８  第２棒状案内部
２９  第１案内溝
３０  第２案内溝
３１    係止用突起部
３１ｃ  当接面
３２ａ  係止用当接部（第１操作部側）
３２ｂ  係止用当接部（第２操作部側）
３２ｃ  当接面
３３  球面状くぼみ部
３４  衝撃吸収部材
３５ａ  コの字型当接部（第１操作部側）
３５ｂ  コの字型当接部（第２操作部側）
３６  レンズ鏡筒
【図１】
0005786486.tif 000002
【図２】
0005786486.tif 000003
【図３】
0005786486.tif 000004
【図４】
0005786486.tif 000005